(57)【特許請求の範囲】
【請求項１】
太陽エネルギ水加熱補助蓄熱装置であって、少なくとも１個の分子ふるい蓄熱床(18)と、蓄熱水タンク(17)を含み、
前記分子ふるい蓄熱床（18）は、円柱状外側ケーシング（18.1）と、前記分子ふるい蓄熱床の外側ケーシング(18.1)に載置される複数の蓄熱管（18.5）を含み、
前記蓄熱管(18.5)は網の目を有する金属管（18.5.1）と、蓄熱のために前記網の目を有する金属管（18.5.1）各々の表面に接着される吸収剤層(18.5.2)から形成され、
前記吸収剤層(18.5.2)の吸収材料は、蓄熱作用媒体としての水と適合するように構成される分子ふるい吸収材料であり、前記蓄熱床の外側ケーシング(18.1)の両端はシール弁(18.2)が設けられるとともに、夫々空気管を介して、空気予熱器（23）の空気入口および空気出口と連結され、
前記蓄熱床外側ケーシング(18.1)の一端側は、蓄熱水タンク(17)の水出口と連結させるための水入口が設けられ、前記蓄熱床外側ケーシング(18.1)の他端側は、温水を後続の機器へ出力するための水出口が設けられる
太陽エネルギ水加熱補助蓄熱装置。
【請求項２】
前記吸収剤層(18.5.2)は、前記吸収材料を熱伝導性の良い金属粉と混合させることにより形成され、或いは、前記吸収剤層(18.5.2)は化学重合法を使用して調製される吸収材料を採用する、請求項１の太陽エネルギ水加熱補助蓄熱装置。
【請求項３】
前記吸収剤層(18.5.2)の吸収材料はシリカゲル、天然ゼオライト、人工ゼオライト、塩化カルシウム、または複合吸収材料を採用する、請求項１または２の太陽エネルギ水加熱補助蓄熱装置。
【請求項４】
前記吸収剤層(18.5.2)の吸収材料は人工ゼオライト１３Ｘ分子ふるいである、請求項３の太陽エネルギ水加熱補助蓄熱装置。
【請求項５】
前記蓄熱床外側ケーシングはポリウレタン断熱層で挟持される鋼板の二重層により形成される、請求項１または２の太陽エネルギ水加熱補助蓄熱装置。
【請求項６】
請求項１乃至５のいずれか一項の太陽エネルギ水加熱補助蓄熱装置を含む発電所ボイラの太陽エネルギ水加熱補助供給システムであって、タービン(2)のガス出口と夫々連結される凝縮器（4）と、復水ポンプ(5)と、軸シールヒータ(14)と、複数段の低圧ヒータと、脱気装置（6）と、複数段の高圧ヒータを含み、最終段の高圧ヒータは前記ボイラ（1）の水入口と連結され、水管は弁および水ポンプ（21）が設けられ、空気管は弁およびブロワーファン（22）が設けられており、
前記システムは更に、中温太陽エネルギ熱回収器と、二次太陽エネルギヒータと、太陽エネルギ水加熱補助蓄熱装置を含み、
前記中温太陽エネルギ熱回収器の水入口は、軸シールヒータ（14）の水出口と連結され、前記中温太陽エネルギ熱回収器の水出口は、最終段の低圧ヒータの水入口と連結され、
前記二次太陽エネルギヒータの水入口は、前記中温太陽エネルギ熱回収器の水出口と連結され、前記二次太陽エネルギヒータの水出口は、最終段の低圧ヒータの水入口、第1段の高圧ヒータの水入口、空気予熱器（23）の水入口と連結され、前記空気予熱器（23）の水出口は、前記中温太陽エネルギ熱回収器の水入口と連結され、
前記太陽エネルギ水加熱補助蓄熱装置の分子ふるい蓄熱床(18)の水出口は、最終段の低圧ヒータの水入口と連結される
ことを特徴とする太陽エネルギ水加熱補助供給システム。
【請求項７】
前記中温太陽エネルギ熱回収器は、100℃を超える熱回収温度を有する真空管太陽エネルギ熱回収器(15)である、請求項６の太陽エネルギ水加熱補助供給システム。
【請求項８】
前記二次太陽エネルギヒータは、シュート型太陽エネルギ熱回収器またはCPC熱回収器(16)である、請求項６の太陽エネルギ水加熱補助供給システム。
【請求項９】
前記二次太陽エネルギヒータの水出口は更に、吸収型冷凍機に連結され、前記吸収型冷凍機の水出口は前記中温太陽エネルギ熱回収器の水入口に連結される、請求項６乃至８のいずれか一項の太陽エネルギ水加熱補助供給システム。
【請求項１０】
前記吸収型冷凍機は、臭化リチウム冷凍機(20)である、請求項９の太陽エネルギ水加熱補助供給システム。
【発明の詳細な説明】
【技術分野】
【０００１】
本発明は、発電所のボイラ用水供給システムに関し、特に、太陽エネルギ水加熱補助蓄熱装置および太陽エネルギ水加熱補助蓄熱装置を含む発電所ボイラの太陽エネルギ水加熱補助供給システムに関する。
【背景技術】
【０００２】
現在、世界のエネルギは極めて少なくなっているが、ボイラ、特に大規模発電所のボイラは、石炭、天然ガス、バイオマス等の様々なエネルギを大量に消費する。太陽エネルギは、不安定性や間欠性を特徴とすることから、ボイラ燃料の類には含まれてこなかった。科学の発展に伴い、中温太陽エネルギ熱回収器が開発されるとともに、蓄熱技術が改善されてきて、太陽エネルギは補助燃料ボイラとして可能になった。
【０００３】
一例としてバイオマス発電所を挙げると、ボイラの補助燃料としての太陽エネルギは、バイオマス発電所において特に重要である。現用のバイオマス発電所の容量は大きくないことが多く、殆どの場合、30〜50MWであり、実に太陽エネルギは燃料の1/3を補充し、経済的な利点が大きい。30MWのバイオマス発電所の例では、太陽エネルギの補充が燃料の1/3に達すると、毎年約7万トンのバイオマス燃料を節約することができ、これは約3150万中国元に値する。また、太陽エネルギの補充が燃料の1/3となることを考慮すると、太陽エネルギ装置の占有面積が大きくなることはなく、動作が可能である。
【発明の概要】
【発明が解決しようとする課題】
【０００４】
上述の課題に鑑み、本発明の目的は、太陽エネルギ水加熱補助蓄熱装置、およびそれを含む発電所ボイラの太陽エネルギ水加熱補助供給システムを提供することにある。太陽エネルギを発電所のボイラの補助燃料として完全に利用するとともに、ボイラの正常作動が太陽エネルギの不安定性や間欠性に影響されないようにして、発電所の製造費用を大きく低減させることにある。
【課題を解決するための手段】
【０００５】
上述の技術的課題を解決するために、本発明の太陽エネルギ水加熱補助蓄熱装置は、少なくとも１個の分子ふるい蓄熱床と、蓄熱水タンクを含む。分子ふるい蓄熱床は円柱状外側ケーシングと、分子ふるい蓄熱床の外側ケーシング内に載置される複数の蓄熱管を含む。蓄熱管は網の目を有する金属管と、蓄熱のために網の目を有する金属管各々の表面に接着される吸収剤層から形成される。吸収剤層の吸収材料は、蓄熱作用媒体としての水と適合するように構成される分子ふるい吸収材料である。蓄熱床外側ケーシングの両端はシール弁が設けられるとともに、夫々空気管を介して空気予熱器の空気入口および空気出口と連結される。蓄熱床外側ケーシングの一端側は、蓄熱水タンクの水出口と連結する水入口が設けられ、蓄熱床外側ケーシングの他端側は、温水を後続の機器へ出力するための水出口が設けられる。
【０００６】
上述の技術態様において、吸収剤層は吸収材料を熱伝導性の良い金属粉と混合させることにより形成され、或いは、吸収剤層は化学重合法を使用して調製される吸収材料を採用する。
【０００７】
上述の技術態様において、吸収剤層の吸収材料はシリカゲル、天然ゼオライト、人工ゼオライト、塩化カルシウム、または複合吸収材料を採用する。
【０００８】
上述の技術態様において、吸収剤層の吸収材料は人工ゼオライト13X分子ふるいである。
【０００９】
上述の技術態様において、蓄熱床外側ケーシングはポリウレタン断熱層で挟持される鋼板の二重層により形成される。
【００１０】
本発明の発電所ボイラの太陽エネルギ水加熱補助供給システムは、上記太陽エネルギ水加熱補助蓄熱装置を含み、本システムは、タービンのガス出口と夫々連結される凝縮器と、復水ポンプと、軸シールヒータと、複数段の低圧ヒータと、脱気装置と、複数段の高圧ヒータを含む。最終段の高圧ヒータは、ボイラの水入口と連結される。水管には弁および水ポンプが設けられ、空気管には弁およびブロワーファンが設けられる。システムは更に、中温太陽エネルギ熱回収器と、二次太陽エネルギヒータと、太陽エネルギ水加熱補助蓄熱装置を含む。
【００１１】
中温太陽エネルギ熱回収器の水入口は、軸シールヒータの水出口と連結され、中温太陽エネルギ熱回収器の水出口は、最終段の低圧ヒータの水入口と連結される。
【００１２】
二次太陽エネルギヒータの水入口は、中温太陽エネルギ熱回収器の水出口と連結され、二次太陽エネルギヒータの水出口は、最終段の低圧ヒータの水入口、第1段の高圧ヒータの水入口、空気予熱器の水入口と連結される。空気予熱器の水出口は、中温太陽エネルギ熱回収器の水入口と連結される。
【００１３】
太陽エネルギ水加熱補助蓄熱装置の分子ふるい蓄熱床の水出口は、最終段の低圧ヒータの水入口と連結される。
【００１４】
上述の技術態様において、一次加熱装置は、100℃を超える熱回収温度を有する真空管太陽エネルギ熱回収器である。
【００１５】
上述の技術態様において、二次太陽エネルギヒータは、シュート型太陽エネルギ熱回収器またはCPC熱回収器である。
【００１６】
上述の技術態様において、二次太陽エネルギヒータの水出口は更に、吸収型冷凍機に連結され、吸収型冷凍機の水出口は中温太陽エネルギ熱回収器の水入口に連結される。
【００１７】
上述の技術態様において、吸収型冷凍機は、臭化リチウム冷凍機である。
【発明の効果】
【００１８】
従来技術と比較した場合、本発明の効果は次のとおりである。
【００１９】
１）太陽エネルギ真空管熱回収器は、太陽光放射強度が十分（＞600w/m2）であり、また、温水或いは蒸気が水ポンプにより低圧ヒータへ直接運ばれて、ボイラに水を補充するときに、一次加熱装置として利用されて、150℃以上の温水または0.2メガパスカルの蒸気を生成する。
【００２０】
２）二次太陽エネルギヒータは更に水温を上げるために使用され、エネルギの節約になるだけでなく、太陽エネルギの放射強度が比較的低い時に、太陽エネルギを確実に利用する。太陽エネルギの放射強度が十分に高い時には、二次太陽エネルギヒータは水温を150℃以上に加熱することができ、次に、加熱された水は直接高温ヒータに導入されて、ボイラの水供給を補充する。
【００２１】
３）本システムの重要な装置は分子ふるい蓄熱床であり、本発明の革新的な装置である。分子ふるい蓄熱床は、熱の吸収および熱の蓄積のために分子ふるいを利用し、大きな蓄熱容量を備え、システムの連続熱供給を確実にするための重要な装置である。一方で、分子ふるい蓄熱床は、二次太陽エネルギヒータにより加熱された高温の水を利用して、高レベルの熱量を保存し、他方で、夜間或いは太陽エネルギの放射が比較的低い時には、分子ふるい蓄熱床が蓄熱水タンクから放出された温水を加熱することができるので、水温を更に上昇させて、供給される温水の質と連続性を保証する。加えて、分子ふるい蓄熱床についてはまた、大きな温度上昇、大きな蓄熱容量、良好な保温性能、そして低生産コストという利点が挙げられる。
【００２２】
４）太陽エネルギを完全に利用するのに加えて、本発明はまた、発電所排出ガスからの凝縮水が作用媒体として作用するので、発電所の排熱を完全に利用する。
【００２３】
５）本システムにより供給される水は相対的に高温であるため、吸収式冷凍機の熱源として利用することもでき、したがって、水加熱システムのための複数利用経路が提供される。
【００２４】
６）二次太陽エネルギヒータは、水加熱システムが相対的に高レベルの熱量を得るために採用され、一方、分子ふるい蓄熱装置は、システムの連続作動を確実に行うために採用される。大きな投資と複雑な作動手順を必要とする高温溶融塩蓄熱システムと比較して、本発明の蓄熱装置は、ずっと安価であるとともに、大きな温度上昇、大きな蓄熱容量、そして良好な断熱性能といった利点を有するので、発電所のボイラの補助水加熱供給システムでの利用が可能である。
【図面の簡単な説明】
【００２５】
【図１】本発明の一実施形態に係るシステムの構造図である。
【図２】図１の分子ふるい蓄熱床の構造図である。
【図３】図１のＡ−Ａ線視断面図である。
【図４】図２および図３の蓄熱管の横断面図である。
【図５】図１のシステムの動作原理を示す図である。
【発明を実施するための形態】
【００２６】
本発明の実施形態を、図面を参照して詳細に説明する。
【００２７】
図２〜図４に示すように、本発明の太陽エネルギ水加熱補助蓄熱装置は、少なくとも１個の分子ふるい蓄熱床18および蓄熱水タンク17を含む。分子ふるい蓄熱床18は、分子ふるい蓄熱床を包囲する円柱状外側ケーシング18.1と、分子ふるい蓄熱床の外側ケーシング18.1に載置される複数の蓄熱管18.5を含む。蓄熱管18.5は、網の目を有する金属管18.5.1と、蓄熱を目的としてこの網の目を有する金属管18.5.1各々の表面に接着される吸収剤層18.5.2から形成される。吸収剤層18.5.2の吸収材料は、蓄熱作用媒体としての水と適合するように構成される分子ふるい吸収材料である。蓄熱床外側ケーシング18.1の両端は、いずれもがシール弁18.2を備えるとともに、夫々が空気管を介して、空気予熱器23の空気入口および空気出口と連結される。蓄熱床外側ケーシング18.1の一端側には、蓄熱水タンク17の水出口と連結される水入口を備え、蓄熱床外側ケーシング18.1の他端側には、後続の装置へ温水を出力するための水出口を備える。
【００２８】
本発明の太陽エネルギ補助蓄熱装置は、直接発電のために熱源へ600〜800℃の水を供給するのではなく、ボイラへの燃料を節約することを目的として、150〜250℃の水を供給するものであるので、蓄熱装置は、大きな投資を必要とするとともに複雑な作動手順を有する高温溶融塩蓄熱システムを必要とはせず、単純な低温蓄熱装置を採用する。蓄熱装置は、完全に要求を満たすことが可能である。
【００２９】
熱の保存をより容易にするために、本実施形態の蓄熱床外側ケーシング18.1は、任意で、厚さ約100mmのポリウレタン断熱層で挟持された鋼板の二重層により形成される。蓄熱水タンク17は任意で、鋼および断熱層から作られ、或いは、強化コンクリート構造および断熱層から作られる。
【００３０】
本実施形態の吸収剤層18.5.2は、好適には、吸収材料と熱伝達性に優れた金属粉を混合することにより形成される。吸収剤層18.5.2の吸収材料は好適には、シリカゲル、天然ゼオライト、人工ゼオライト、または複合吸収剤である。
【００３１】
本実施形態の吸収剤層18.5.2は、最も好適には、人工ゼオライト13X分子ふるいを熱伝達性に優れた金属粉と混合するとともに、得られた混合物を網の目を有する金属管18.5.1の表面に接着されることにより形成される。人工ゼオライト13X分子ふるいが蓄熱材料として選択されるのは、製造コストが安く、吸収能力が高いからである。一般的に、人工ゼオライト13X分子ふるいは、640kj/kgの蓄熱密度を有し、再生可能且つ再利用可能である。蓄熱は安定しており、抽出しなくても熱損失が生じることがない。化学重合法が採用されるならば、高熱伝導性高分子物質の薄層が吸収剤粒子の表面に被覆される。したがって、少量の高熱伝導性高分子化合物を使用することにより、熱伝導メッシュの連続層が吸収剤の粒子表面に形成されて、粒子の熱伝導性が向上するとともに、吸収剤における内部熱伝達の温度勾配が減少することにより、吸収剤の熱伝達性が改善する。また、このような手段では、吸収剤の吸収能力への影響が最小限であることがわかっている。本方法では、予め熱伝導作用媒体として導電性ポリアニリンを採用しており、この作用媒体が、少量の熱伝導性ポリアニリンを作るために、ゼオライト粒子の表面上で直接的に酸化および重合されて、熱伝導性メッシュの均一且つ連続した層が形成されることにより、吸収剤の伝達係数が著しく改善する。一方、吸収剤およびそれに被覆される高分子熱伝導層を全体として凝集させるために、接着剤が吸収剤に加えられて、ゼオライトを全体として接着させるのに加えて、ゼオライト粒子構造を一体化させる。製造工程の間に、吸収剤が十分な吸収管路を有し、吸収剤の吸収能力が大きく低減するのを阻止するようにしなければならない。また、接着剤を選択するときには、接着剤は吸収剤と反応することが回避されるようにしなければならない。
【００３２】
蓄熱装置の動作原理は、次のとおりである。装置が熱を蓄えるときには、太陽エネルギにより加熱された水は空気予熱器23へ送られ、加熱された空気の温度はおおむね120〜150℃に達する。次に、加熱された空気は分子ふるい蓄熱床18へ導入され、そこで、加熱された空気は、蓄熱管18.5を通過させられて、吸収剤18.5.2と熱交換を行う。人工ゼオライト分子ふるいが加熱され、水蒸気が蒸発させられる。したがって、熱の吸収および蓄積が行われるとともに、湿った空気が排出される。蓄熱後に、両端にあるシール弁18.2は閉鎖される。装置が放熱する時、蓄熱水タンク17内にある約60〜70℃の水は、分子ふるい蓄熱床18に導入され、水は乾燥した人工ゼオライトと十分に接触して放熱することにより、水温が上昇する。蓄熱水タンク17の容積に合うように、分子ふるい蓄熱床18の寸法は大きすぎてはならない。任意で、4〜8個の分子ふるい蓄熱床18が並列に配置されると、システムの正常且つ安定した作動が確実になる。
【００３３】
発電所のボイラの太陽エネルギ水加熱供給システムを、図１〜図４に示す。本システムは、夫々タービン2のガス出口と連結される凝縮器4と、復水ポンプ5と、軸シールヒータ14と、三段階低圧ヒータ8，9，10と、脱気装置6と、脱気水タンク7と、二段階高圧ヒータ12，13を含む。最終段の高圧ヒータ13はボイラ1の水入口と連結される。更に、中温太陽エネルギ熱回収器と、二次太陽エネルギヒータと、太陽エネルギ水加熱補助蓄熱装置を含む。
【００３４】
本実施例の中温太陽エネルギ熱回収器は、平面太陽エネルギ熱回収器15を採用する。平面太陽エネルギ熱回収器15の水入口は、軸シールヒータ14の水出口と連結され、平面太陽エネルギ熱回収器15の水出口は、最終段の低圧ヒータ10の水入口と連結される。
【００３５】
本実施例の二次太陽エネルギヒータは、CPC熱回収器16を採用する。CPC熱回収器16の水入口は、平面太陽エネルギ熱回収器15の水出口と連結され、また、CPC熱回収器16の水出口は最終段の低圧ヒータ10の水入口、第1段の高圧ヒータ12の水入口、空気予熱器23の水入口に連結される。空気予熱器23の水出口は、平面太陽エネルギ熱回収器15の水入口と連結される。
【００３６】
太陽エネルギ水加熱補助蓄熱装置の分子ふるい蓄熱床18の水出口は、最終段の低圧ヒータ10の水入口と連結される。夜間での使用に適合させるために、蓄熱水タンク17の設計容積は、ボイラ1の容量の8〜10時間分である。
【００３７】
一方、様々な作動条件を実現するために、各水管は、必要に応じて、関連する位置に弁および水ポンプ23を備えるように構成される。また、空気管は、弁およびブロワーファン22を備えるように構成される。
【００３８】
蓄熱装置の動作原理は次のとおりである。装置が熱を蓄えるときには、太陽エネルギによって加熱された水は、空気予熱器23へ送られ、加熱された空気の温度はおおむね120〜150℃に達する。次に、加熱された空気は分子ふるい蓄熱床18へ導入され、そこで、加熱空気は蓄熱管18.5を通され、吸収剤層18.5.2と熱交換を行う。人工ゼオライト分子ふるいが加熱されて、水蒸気が蒸発させられる。したがって、熱の吸収と蓄積が行われて、湿った空気が放出される。蓄熱後に、両端のシール弁18.2は閉鎖される。本装置が放熱するときには、蓄熱水タンク17内の約60〜70℃の水は、分子ふるい蓄熱床18へ導入され、水が乾燥した人工ゼオライトと十分に接触して放熱することにより、水温が上昇する。蓄熱水タンク17の容積と合うように、分子ふるい蓄熱床18の寸法は大きすぎてはならない。任意で、4〜8個の分子ふるい蓄熱床18が平行に配置されて、システムの正常且つ安定した作動が確実に行われる。
【００３９】
本発明の動作原理を、図１〜図５に示す。凝縮水は、温水供給システムの作用媒体として、発電所の軸シールヒータ14から抽出されるとともに、水ポンプ23を介して、平面太陽エネルギ熱回収器15へ送られる。昼間、太陽エネルギの放射強度が十分に強い（＞600w/m2）ときには、太陽エネルギが吸収されて、水を約150℃の温度に加熱する。加熱された水は、以下のとおり、３つの経路へ出力される。
【００４０】
１）加熱された水は、低圧ヒータ10へ直接導入され、次に、脱気装置6へ送られる。脱気された水は、高圧ヒータ12，13を通り、ボイラ1へ送られる。
【００４１】
2）加熱された水は、蓄熱水タンク17へ入り、貯蔵される。夜間、太陽エネルギの回収が不可能な時に、加熱された水は蓄熱水タンク17から取り出され、二次加熱のために、水ポンプ23により分子ふるい蓄熱床18へ送られて、水温を150℃よりも高温にする。その後、加熱された水は低圧ヒータ10へ送られ、更に、脱気装置6へ送られる。脱気された水は高圧ヒータ12，13夫々を通り、ボイラ1へ送られる。したがって、太陽エネルギは、夜間や、太陽エネルギが生じない他の場合に利用される。
【００４２】
3）加熱された水は、二次加熱のために、水ポンプによりCPC熱回収器16へ導入され、加熱された水は、次の４つの態様で使用される。3.1）CPC熱回収器16の水出口における水温が250℃よりも高い時には、加熱された水は高圧ヒータ12，13へ直接導入され、そこで、水は加熱されてからボイラ1へ送られる。3.2）加熱された水は、冷凍用の熱源として、吸収型冷凍機に送られ、次に、出口端の加熱された水は、平面太陽エネルギ熱回収器15の水入口へ送り戻されて、再利用される。3.3）太陽エネルギの放射が弱く、CPC熱回収器16の水出口において水温が200℃よりも低い時には、排出された水は低圧ヒータ10へ送られ、次に、脱気装置6へ送られて脱気が行われる。また、脱気された水は高圧ヒータ12，13夫々を通過し、ボイラ1へ到達する。3.4）加熱された水は、空気予熱器23へ送られ、分子ふるい蓄熱床18内の湿った低温の空気を加熱する。吸収剤層18.5.2に蓄積されたエネルギを利用し、空気予熱器23から放出された水は平面太陽エネルギ熱回収器15へ戻される。
【００４３】
上述の動作条件は、実際の条件に従い、切り替えられる。
【００４４】
本発明の重要な点として、中温太陽エネルギヒータ、二次太陽エネルギヒータ、空気ヒータ、脱気水タンク、分子ふるい蓄熱床18および吸収型冷凍機装置により形成される太陽エネルギ水加熱および供給システムは、発電所のボイラの水供給システムに連結されると、60〜250℃の水を発電所へ連続供給できる。太陽エネルギ水加熱および供給システムは、発電所のボイラへの補助燃料として、太陽エネルギを完全に利用し、ボイラの正常な作動が、太陽エネルギの不安定性や間欠性に影響を受けることがないので、発電所の製造コストが大きく低減する。本システムの重要な装置は分子ふるい蓄熱床18であり、これにより、システムは高レベルの熱量を連続供給できる。したがって、本発明の保護範囲は、上述の実施形態に限定されるものではない。当該技術分野に属する者には明らかなように、本発明のより広範な態様において、本発明から逸脱することなく改変や変形が行われてよく、例えば、分子ふるい蓄熱床18の蓄熱管18.5の数や配置は、分子ふるい蓄熱床の両端が空気の通過を可能にするととともに、その両端が水を通過させ、蓄熱要件が満たされる限り、上記実施形態の特定の形態に限定されない。別の例として、吸収剤層18.5.2の吸収材料としての人工ゼオライトの使用は、本発明の好適な実施形態であるが、蓄熱材として活性炭やシリカゲルを使用しても、本発明の技術構成を実現することができる。更に別の例として、二次太陽エネルギヒータは、CPC熱回収器16を採用するだけでなく、シュート型太陽エネルギ熱回収器等の他の中温または高温熱回収器を採用してもよい。したがって、添付の請求の範囲の目的は、これらの改変および変形全てを、本発明の真の趣旨および範囲に入るものとして包含することにある。
【符号の説明】
【００４５】
１    ボイラ
２    タービン
３    発電機
４    凝縮器
５    復水ポンプ
６    脱気装置
７    脱気水タンク
８    低圧ヒータ
９    低圧ヒータ
１０  低圧ヒータ
１１  モータ駆動供給ポンプ
１２  高圧ヒータ
１３  高圧ヒータ
１４  軸シールヒータ
１５  平面太陽エネルギ熱回収器
１６  ＣＰＣ熱回収器
１７  蓄熱水タンク
１８  分子ふるい蓄熱床
１８．１  蓄熱床の外側ケーシング
１８．２  シール弁
１８．３  換気ファン
１８．４  水調節弁
１８．５  蓄熱管
１８．５．１  網の目を有する金属管
１８．５．2  吸収剤層
１９  定圧装置
２０  臭化リチウム冷凍機
２１  水ポンプ
２２  ブロワーファン
２３  空気予熱器
【図１】
0006309172.tif 000002
【図２】
0006309172.tif 000003
【図３】
0006309172.tif 000004
【図４】
0006309172.tif 000005
【図５】
0006309172.tif 000006